(57)【要約】【課題】指紋処理装置からの指紋データの比較結果に従って適切な指紋データベースの更新を行なうことを可能とする指紋照合システムを提供する。【解決手段】指紋処理端末１０で入力されたサーチ指紋データをネットワーク１００を介して接続される指紋照合装置３０に送り、指紋照合装置３０でサーチ指紋データと合致する候補指紋データを指紋データベース３０−１から抽出して照合結果として指紋処理端末に送り、指紋処理端末１０で照合結果に基づいてサーチ指紋データと候補指紋データの比較を行うと共に、通信回線を介して指紋処理端末及び指紋照合装置と接続されるトランザクションコントロール装置２０が、指紋処理端末１０からの比較結果を受け取り、比較結果に基づいた指紋データベース３０−１の更新要求を、ネットワーク１００を介して指紋照合装置に送る。【選択図】    図１
2004318383.tif 000002
【特許請求の範囲】
【請求項１】
指紋処理端末で入力されたサーチ指紋データを通信回線を介して接続される指紋照合装置に送り、当該指紋照合装置でサーチ指紋データと合致する候補指紋データを指紋データベースから抽出して照合結果として前記指紋処理端末に送り、前記指紋処理端末で照合結果に基づいて前記サーチ指紋データと前記候補指紋データの比較を行う指紋照合システムであって、
前記通信回線を介して前記指紋処理端末及び前記指紋照合装置と接続されるトランザクションコントロール装置を備え、
前記トランザクションコントロール装置が、前記指紋処理端末からの前記比較結果を受け取り、前記比較結果に基づいた前記指紋データベースの更新要求を、前記通信回線を介して前記指紋照合装置に送ることを特徴とする指紋照合システム。
【請求項２】
前記トランザクションコントロール装置が、前記比較結果を参照し、候補指紋データ中にサーチ指紋データと合致する指紋がない場合、当該サーチ指紋データを登録し、前記候補指紋データ中にサーチ指紋データと合致する指紋がある場合、サーチ指紋データの品質が良い場合のみ候補指紋をサーチ指紋で置換する内容の前記更新要求を、前記指紋照合装置に送ることを特徴とする請求項１に記載の指紋照合システム。
【請求項３】
前記指紋処理端末における比較で、サーチ指紋データと合致する複数の候補指紋がある場合、複数の候補指紋の中から第１候補を選択して、その比較結果を前記トランザクションコントロール装置に送り、
前記トランザクションコントロール装置が、前記比較結果を参照し、候補指紋中にサーチ指紋と合致する複数の候補指紋がある場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除する内容の前記更新要求を、前記指紋照合装置に送ることを特徴とする請求項１又は請求項２に記載の指紋照合システム。
【請求項４】
前記トランザクションコントロール装置が、
前記指紋処理端末１０からサーチ指紋データを受信し、当該サーチ指紋データに含まれる指紋データから照合を行なうためのデータである特徴点を抽出し、抽出した特徴点とサーチ指紋データでサーチ指紋照合データを作成し、当該サーチ指紋照合データを照合要求と共に前記指紋照合装置に送信し、
前記サーチ指紋照合データを、一時的に保管し、
前記指紋照合装置から受信した照合結果と候補指紋データ、及び一時保管しているサーチ指紋照合データを前記指紋処理端末に送信することを特徴とする請求項１から請求項３の何れか一項に記載の指紋照合システム。
【請求項５】
指紋処理端末で入力されたサーチ指紋データを通信回線を介して接続される指紋照合装置に送り、当該指紋照合装置でサーチ指紋データと合致する候補指紋データを指紋データベースから抽出して照合結果として前記指紋処理端末に送り、前記指紋処理端末で照合結果に基づいて前記サーチ指紋データと前記候補指紋データの比較を行う指紋照合システムの指紋データベース更新方法であって、
前記通信回線を介して前記指紋処理端末及び前記指紋照合装置と接続されるトランザクションコントロール装置を備え、
前記トランザクションコントロール装置が、前記指紋処理端末からの前記比較結果を受け取り、前記比較結果に基づいた前記指紋データベースの更新要求を、前記通信回線を介して前記指紋照合装置に送るステップを有することを特徴とする指紋データベース更新方法。
【請求項６】
前記トランザクションコントロール装置による更新要求ステップで、前記比較結果を参照し、候補指紋データ中にサーチ指紋データと合致する指紋がない場合、当該サーチ指紋データを登録し、前記候補指紋データ中にサーチ指紋データと合致する指紋がある場合、サーチ指紋データの品質が良い場合のみ候補指紋をサーチ指紋で置換する内容の前記更新要求を、前記指紋照合装置に送ることを特徴とする請求項５に記載の指紋データベース更新方法。
【請求項７】
前記指紋処理端末における比較で、サーチ指紋データと合致する複数の候補指紋がある場合、複数の候補指紋の中から第１候補を選択して、その比較結果を前記トランザクションコントロール装置に送り、
前記トランザクションコントロール装置による更新要求ステップで、前記比較結果を参照し、候補指紋中にサーチ指紋と合致する複数の候補指紋がある場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除する内容の前記更新要求を、前記指紋照合装置に送ることを特徴とする請求項５又は請求項６に記載の指紋データベース更新方法。
【発明の詳細な説明】
【０００１】
【発明の属する技術分野】
本発明は、インターネット等のネットワークを用いて指紋照合を行なう指紋照合システムに関し、特に、指紋データを蓄積する指紋データベースの適切な更新を実現する指紋照合システム及び指紋データベース更新方法に関する。
【０００２】
【従来の技術】
インターネット等のネットワークを用いて指紋照合を行なう従来の指紋照合システムにおいては、ネットワークを介して照合すべきサーチ指紋が受け付けられ、指紋照合装置でデータベースに存在する指紋と照合される。
【０００３】
図８に従来の指紋照合システムの例を示す。図８を参照すると、従来の指紋照合システムは、指紋処理端末１１０と、指紋データベース１３０−１を備える指紋照合装置１３０と、これらを相互に接続するインターネット２００とから構成されている。
【０００４】
指紋比較担当者は、指紋処理端末１１０のスキャナから読み込まれた指紋の特徴点を抽出し、画面から入力した個人情報とサーチ指紋照合データを作成し、インターネット２００上に接続されている指紋照合装置１３０に照合要求を行なう。
【０００５】
要求を受けた指紋照合装置１３０は、指紋データベース１３０−１に蓄積された指紋データの特徴点と照合し、ある一定の閾値以上の特徴点を持つ候補指紋が存在した場合は、その候補指紋照合データを含む照合結果を指紋処理端末１１０に通知する。候補指紋が存在しなかった場合も、その旨指紋処理端末１１０に通知する。
【０００６】
指紋比較担当者は、指紋処理端末１１０の画面上でサーチ指紋と候補指紋を表示し比較する。比較結果は、指紋処理端末１１０の画面上から入力し、比較結果を文書にて伝指紋データベース１３０−１のデータベース更新担当者に報告する。この比較結果には、候補指紋の有無や合致した候補指紋、及び合致した候補指紋数が含まれる。
【０００７】
データベース更新担当者は、指紋処理端末１１０の指紋比較担当者からの比較結果を参照し、合致する候補指紋が無かった場合は、当該サーチ指紋の登録要求を指紋照合装置１３０に行なう。また、合致した候補指紋よりサーチ指紋の品質が良い場合は、当該サーチ指紋での置換要求を行なう。
【０００８】
合致した候補指紋が複数存在する場合、データベース更新担当者が第１候補と判断した指紋と他の合致候補を一組として指紋データベース１３０−１から読み込み、指紋処理端末１１０の画面上に表示し、第１候補より他の合致した候補指紋の品質が良い場合は、第１候補の指紋を他の合致候補指紋で置換する要求を行なう。この置換要求は、置換対象となる他の合致候補指紋の数だけ繰り返す。
【０００９】
また、複数挙がった合致候補の中で不要な指紋がある場合は、当該候補指紋の削除要求を行なう。この削除要求は、削除対象の他の合致候補指紋の数だけ繰り返す。
【００１０】
要求を受けた指紋照合装置１３０は、指紋データベース１３０−１に当該指紋照合データの登録や当該指紋照合データの置換、及び指紋データベース１３０−１から当該指紋照合データの削除を行なう。
【００１１】
また、指紋照合において指紋を登録したデータベースの更新を行なうための従来技術としては、特開平０７−２７１９８１号公報「指紋認識装置における辞書画像の更新方式」（特許文献１）に開示される技術がある。
【００１２】
特許文献１に開示される更新方法では、入力された照合対象の指紋が登録されている指紋と合致した場合に、登録されている指紋を必ず当該入力された指紋で置換することで照合精度を上げるようにしたものである。
【００１３】
【特許文献１】
特開平０７−２７１９８１号公報「指紋認識装置における辞書画像の更新方式」
【００１４】
【発明が解決しようとする課題】
上述した従来の指紋照合システムにおける指紋データベースの更新方法では、次に述べるような問題点があった。
【００１５】
指紋データベースの登録、更新及び削除が正しく行なわれない可能性がある。すなわち、指紋比較担当者がサーチ指紋と指紋データベースを照合し、その比較結果を文書にてデータベース更新担当者に伝え、データベース更新担当者が比較結果に基づいて更新要求を行なっているが、データベース更新担当者の入力ミスによって、指紋データベースへの誤った登録、更新及び削除処理が発生する可能性があるからである。指紋データベースの更新が適正に行なわれないと、精度の高い指紋照合がなされなくなる。
【００１６】
また、複数の合致した候補指紋同士の品質の比較では、一組ずつ比較するため処理が煩雑になるという問題点があった。
【００１７】
また、比較結果を通知する文書を紛失すると指紋データベースの登録、更新及び削除処理が行なえなくなるという不便もあった。
【００１８】
さらに、特許文献１の更新方法では、入力した指紋と合致した登録指紋を必ず当該入力した指紋で置換する方法がとられているが、入力した指紋の品質が登録した指紋より悪い場合もあり、必ずしも適切な更新がなされないという問題がある。また、登録指紋を入力した指紋で置き換えるだけの更新であるので、指紋データベースに登録される指紋の適正化がすぐにはなされず、指紋照合の精度向上に反映されにくいという課題もある。
【００１９】
本発明の目的は、以上の問題点を解決し、指紋処理装置からの指紋データの比較結果に従って適切な指紋データベースの更新を行なうことを可能とする指紋照合システム及びそのデータベース更新方法を提供することにある。
【００２０】
【課題を解決するための手段】
上記目的を達成する本発明は、指紋処理端末で入力されたサーチ指紋データを通信回線を介して接続される指紋照合装置に送り、当該指紋照合装置でサーチ指紋データと合致する候補指紋データを指紋データベースから抽出して照合結果として前記指紋処理端末に送り、前記指紋処理端末で照合結果に基づいて前記サーチ指紋データと前記候補指紋データの比較を行う指紋照合システムであって、前記通信回線を介して前記指紋処理端末及び前記指紋照合装置と接続されるトランザクションコントロール装置を備え、前記トランザクションコントロール装置が、前記指紋処理端末からの前記比較結果を受け取り、前記比較結果に基づいた前記指紋データベースの更新要求を、前記通信回線を介して前記指紋照合装置に送ることを特徴とする。
【００２１】
請求項２の指紋照合システムは、前記トランザクションコントロール装置が、前記比較結果を参照し、候補指紋データ中にサーチ指紋データと合致する指紋がない場合、当該サーチ指紋データを登録し、前記候補指紋データ中にサーチ指紋データと合致する指紋がある場合、サーチ指紋データの品質が良い場合のみ候補指紋をサーチ指紋で置換する内容の前記更新要求を、前記指紋照合装置に送ることを特徴とする。
【００２２】
請求項３の指紋照合システムは、前記指紋処理端末における比較で、サーチ指紋データと合致する複数の候補指紋がある場合、複数の候補指紋の中から第１候補を選択して、その比較結果を前記トランザクションコントロール装置に送り、前記トランザクションコントロール装置が、前記比較結果を参照し、候補指紋中にサーチ指紋と合致する複数の候補指紋がある場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除する内容の前記更新要求を、前記指紋照合装置に送ることを特徴とする。
【００２３】
請求項４の指紋照合システムは、前記トランザクションコントロール装置が、前記指紋処理端末１０からサーチ指紋データを受信し、当該サーチ指紋データに含まれる指紋データから照合を行なうためのデータである特徴点を抽出し、抽出した特徴点とサーチ指紋データでサーチ指紋照合データを作成し、当該サーチ指紋照合データを照合要求と共に前記指紋照合装置に送信し、前記サーチ指紋照合データを、一時的に保管し、前記指紋照合装置から受信した照合結果と候補指紋データ、及び一時保管しているサーチ指紋照合データを前記指紋処理端末に送信することを特徴とする。
【００２４】
請求項５の本発明は、指紋処理端末で入力されたサーチ指紋データを通信回線を介して接続される指紋照合装置に送り、当該指紋照合装置でサーチ指紋データと合致する候補指紋データを指紋データベースから抽出して照合結果として前記指紋処理端末に送り、前記指紋処理端末で照合結果に基づいて前記サーチ指紋データと前記候補指紋データの比較を行う指紋照合システムの指紋データベース更新方法であって、前記通信回線を介して前記指紋処理端末及び前記指紋照合装置と接続されるトランザクションコントロール装置を備え、前記トランザクションコントロール装置が、前記指紋処理端末からの前記比較結果を受け取り、前記比較結果に基づいた前記指紋データベースの更新要求を、前記通信回線を介して前記指紋照合装置に送るステップを有することを特徴とする。
【００２５】
請求項６の指紋データベース更新方法は、前記トランザクションコントロール装置による更新要求ステップで、前記比較結果を参照し、候補指紋データ中にサーチ指紋データと合致する指紋がない場合、当該サーチ指紋データを登録し、前記候補指紋データ中にサーチ指紋データと合致する指紋がある場合、サーチ指紋データの品質が良い場合のみ候補指紋をサーチ指紋で置換する内容の前記更新要求を、前記指紋照合装置に送ることを特徴とする。
【００２６】
請求項７の指紋データベース更新方法は、前記指紋処理端末における比較で、サーチ指紋データと合致する複数の候補指紋がある場合、複数の候補指紋の中から第１候補を選択して、その比較結果を前記トランザクションコントロール装置に送り、前記トランザクションコントロール装置による更新要求ステップで、前記比較結果を参照し、候補指紋中にサーチ指紋と合致する複数の候補指紋がある場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除する内容の前記更新要求を、前記指紋照合装置に送ることを特徴とする。
【００２７】
【発明の実施の形態】
以下、本発明の実施の形態について図面を参照して詳細に説明する。
【００２８】
図１は本発明の第１の実施の形態による指紋照合システムの構成を示すブロック図である。
【００２９】
図１を参照すると、本発明の指紋照合システムは、指紋処理端末１０と、トランザクションコントロール装置２０と、指紋データベース３０−１を備える指紋照合装置３０と、これらを相互に接続するインターネット等の通信回線であるネットワーク１００とから構成されている。
【００３０】
指紋処理端末１０は、パーソナルコンピュータ等の情報処理装置によって実現され、図２に示すように、指紋カードから指紋を読み込むためのスキャナ等の指紋入力部１１を備えている。また、指紋処理端末１０は、指紋データベース３０−１に蓄積された指紋データと照合するためのサーチ指紋データを作成するサーチ指紋データ作成部１２と、ネットワーク１００を介してトランザクションコントロール装置２０とデータの送受信を行なう送受信部１４を備えている。
【００３１】
このサーチ指紋データは、スキャナから読み込まれた指紋データ（指紋イメージ）とキーボード等の入力部１３から入力された個人情報とによって生成される。個人情報としては、例えば、氏名、生年月日、性別、住所または職業等の指紋を有する本人に関する情報であり、必要に応じて指紋採取日、指紋採取場所、前科または前歴等の情報も含む。
【００３２】
さらに、指紋処理端末１０は、トランザクションコントロール装置２０から送られるサーチ指紋照合データと候補指紋照合データを画面に表示する照合結果表示処理部１５を備えている。
【００３３】
このサーチ指紋照合データは、サーチ指紋データと指紋照合情報を組み合わせて生成される。指紋照合情報は、指紋同士を比較するための情報であり、サーチ指紋データに含まれる指紋イメージにおける指紋の特徴点の位置、傾き及び方向を数値化した情報からなる。また、候補指紋照合データは、候補指紋データと指紋照合情報を組み合わせて生成される。
【００３４】
さらに、指紋処理端末１０は、送受信部１４からサーチ指紋照合データと候補指紋照合データの比較結果を、トランザクションコントロール装置２０に送信する機能を備えている。この比較結果は、照合結果表示処理部１５において、サーチ指紋照合データと候補指紋照合データが同じか否か、そしてサーチ指紋照合データと合致した候補指紋照合データが複数あった場合はどの候補指紋照合データが第１候補指紋であるかといった情報を指紋比較担当者がキーボード等の入力部１３から入力することで作成される。
【００３５】
トランザクションコントロール装置２０は、パーソナルコンピュータ等の情報処理装置によって実現され、図３に示すように、サーチ指紋データに含まれる指紋データから指紋照合装置３０において照合を行なうためのデータである特徴点を抽出する特徴点抽出部２１と、サーチ指紋データと指紋照合情報からサーチ指紋照合データを作成し、指紋照合装置３０に照合要求を行なうサーチ指紋照合データ作成部２２と、指紋処理端末１０及び指紋照合装置３０とデータの送受信を行なう送受信部２３と、指紋照合装置３０に対して指紋データベース３０−１の更新要求を行なうデータベース更新要求部２４とを備える。
【００３６】
トランザクションコントロール装置２０は、指紋比較担当者の操作により指紋処理端末１０が送出したサーチ指紋データを受け取り、サーチ指紋照合データ作成部２２でそのサーチ指紋データと指紋照合情報を組み合わせてサーチ指紋照合データを作成し、そのサーチ指紋照合データを指紋照合装置３０に送信して照合要求を行なうと共に、指紋照合装置３０から候補指紋照合データを含む照合結果を受け取り、指紋処理装置１０にサーチ指紋照合データと候補指紋照合データ及び照合結果を送信する。
【００３７】
照合結果は、サーチ指紋照合データの特徴点に対しある一定の閾値以上に合致した特徴点を持つ候補指紋照合データに関する情報である。
【００３８】
さらに、トランザクションコントロール装置２０のデータベース更新要求部２４では、指紋処理端末１０から比較結果を受け取り、その比較結果から指紋データベース３０−１を更新するか否かを判別し、更新する必要があれば更新要求を指紋照合装置３０に送信する機能を備えている。この更新要求は、指紋データベース３０−１にサーチ指紋データを登録するか否か、第１候補指紋とサーチ指紋データを置換するか否か、あるいは第１候補以外の候補指紋３０−１を削除するか否かを要求する情報である。
【００３９】
指紋照合装置３０は、パーソナルコンピュータ等の情報処理装置によって実現され、図４に示すように、指紋照合データを蓄積している指紋データベース３０−１を備えて構成される。この指紋照合装置３０は、さらに指紋データと指紋データベース３０−１に存在する指紋データと照合する指紋照合部３１と、トランザクションコントロール装置２０との間でデータの送受信を行なう送受信部３２と、トランザクションコントロール装置２０からの更新要求に基づいて指紋データベース３０−１の更新処理を行なう更新処理部３３を備える。
【００４０】
指紋照合装置３０は、トランザクションコントロール装置２０からサーチ指紋照合データを受け取り、指紋照合部３１で指紋データベース３０−１に存在する指紋データと照合し、その照合結果をトランザクションコントロール装置２０に送信する。さらに、指紋照合装置３０は、トランザクションコントロール装置２０から更新要求を受け取り、更新処理部３３で指紋データベース３０−１の更新を行なう。
【００４１】
指紋照合装置３０の指紋照合部３１では、トランザクションコントロール装置２０からの照合要求があると、指紋データベース１３０−１に蓄積された指紋データの特徴点と照合し、ある一定の閾値以上の特徴点を持つ候補指紋が存在した場合は、その候補指紋照合データを含む照合結果をトランザクションコントロール装置２０に通知する。候補指紋が存在しなかった場合も、その旨をトランザクションコントロール装置２０に通知する。
【００４２】
【実施の形態の動作】
次に図１、図５から図７を参照して本実施の形態の動作について詳細に説明する。図５は、本実施の形態による指紋照合システムの動作を説明するフローチャートである。
【００４３】
指紋処理端末１０のサーチ指紋データ作成部１２によりディスプレイ等の表示手段には、まず、図６に示すような各種の情報入力画面３００が表示される。
【００４４】
図５を参照すると、指紋処理端末１０に接続しているスキャナ等の指紋入力部１１に照合すべき指紋カード（指紋が押捺されたカード）をセットして、指紋比較担当者が図６の情報入力画面３００の「スキャン」ボタン３０１をマウスでクリックすると、押捺された指紋が読み込まれて情報入力画面３００の指紋表示欄３０２に表示される。また、指紋比較担当者によって当該読み込んだ指紋の持ち主の個人情報がキーボード等の入力部１３から入力され、情報入力画面３００の個人情報表示欄３０３に表示される（ステップ５０１）。
【００４５】
次に、指紋比較担当者が図６の情報入力画面３００の「送信」ボタン３０４をマウスでクリックすると、指紋データと個人情報を組み合わせたサーチ指紋データが作成され、送受信部１４によりトランザクションコントロール装置２０に送信される（ステップ５０２）。
【００４６】
トランザクションコントロール装置２０は、指紋処理端末１０からのサーチ指紋データを受信して、特徴点抽出部２１により当該サーチ指紋データに含まれる指紋データから指紋照合装置３０において照合を行なうためのデータである特徴点を抽出する（ステップ５０３）。
【００４７】
次に、サーチ指紋照合データ作成部２２によって、上記のように抽出した特徴点とサーチ指紋データでサーチ指紋照合データを生成し、そのサーチ指紋照合データを照合要求と共に指紋照合装置３０に送信する（ステップ５０４）。このとき、サーチ指紋照合データは、一時的にトランザクションコントロール装置２０に保管される。
【００４８】
指紋照合装置３０は、トランザクションコントロール装置２０からのサーチ指紋照合データ及び照合要求を受信すると、指紋照合部３１によって、サーチ指紋照合データの特徴点と指紋データベース３０−１に蓄積されている指紋データの特徴点を照合し、一定の閾値以上合致した特徴点を持つ指紋データを候補指紋データとして抽出する（ステップ５０５）。
【００４９】
次に、指紋照合装置３０の指紋照合部３１は、抽出した単一あるいは複数の候補指紋データと候補指紋情報からなる候補指紋照合データを付加した照合結果を、送受信部３２によりトランザクションコントロール装置２０に送信する（ステップ５０６）。
【００５０】
トランザクションコントロール装置２０は、指紋照合装置３０から受信した照合結果と候補指紋照合データ、及び先に一時保管しているサーチ指紋照合データを指紋処理端末１０に送信する（ステップ５０７）。
【００５１】
指紋処理端末１０は、照合結果表示処理部１５により、トランザクションコントロール装置２０から受信したサーチ指紋照合データと候補指紋照合データを照合結果に従って図７に示すような照合結果表示画面４００に画面に表示する（ステップ５０８）。
【００５２】
図７の例では、サーチ指紋データに含まれる指紋イメージがサーチ指紋表示欄４０１に表示され、指紋比較担当者が候補指紋表示欄４０２をマウスでクリックすると、当該候補指紋イメージが候補指紋表示欄４０２に表示される。さらに、画面上の「特徴点表示」ボタン４０３をマウスでクリックすると、サーチ指紋及び候補指紋の特徴点が指紋イメージに重ねて表示される。
【００５３】
また、サーチ指紋データの個人情報がサーチ指紋情報欄４０４に表示され、候補指紋データに関する情報が候補指紋情報欄４０５に表示される。
【００５４】
次に、指紋比較担当者は、照合結果表示画面４００を見ながらサーチ指紋と候補指紋が合致しているかどうかを決定し、候補指紋情報欄４０５のどの候補指紋が合致しているかを示す合致欄をチェックすると共に、画面上の「送信」ボタン４０６をマウスでクリックすると、その比較結果がトランザクションコントロール装置２０に送信される（ステップ５０９）。
【００５５】
このとき、サーチ指紋と複数の候補指紋が合致した場合は、複数の合致候補指紋の中から第１候補である指紋を選択し、トランザクションコントロール装置２０に送信する。図７の例では、指紋比較担当者が候補指紋の合致欄をマウスでクリックすると、「レ」印が付けられ、この候補指紋はサーチ指紋と合致したと決定する。さらに、「レ」印の付いた候補指紋が複数あった場合は、合致した候補指紋の選択欄をマウスでクリックすることで、第１候補であることを指定する。
【００５６】
トランザクションコントロール装置２０のデータベース更新要求部２４は、指紋処理端末１０から受信した比較結果に基づいて以下のような指紋データベース３０−１の更新要求を指紋照合装置３０に対して行なう（ステップ５１０）。
【００５７】
（１）候補指紋中にサーチ指紋と合致する指紋が無かった場合、サーチ指紋データを指紋データベース３０−１に登録する要求を行なう。
【００５８】
（２）候補指紋中にサーチ指紋と合致する指紋があった場合、サーチ指紋と候補指紋を比べて、サーチ指紋の方の品質が良い場合のみ候補指紋をサーチ指紋で置換する要求を行なう。
【００５９】
（３）候補指紋中にサーチ指紋と合致する複数の候補指紋があった場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除する要求を行なう。
【００６０】
これらの更新要求はトランザクションコントロール装置２０から自動的に指紋照合装置３０に送られる。
【００６１】
このとき、指紋データベース３０−１への登録要求ではサーチ指紋照合データを、置換要求では置換する候補指紋番号と共にサーチ指紋照合データ又は候補指紋番号を、削除要求では削除する候補指紋番号を送信する。
【００６２】
最後に、指紋照合装置３０の更新処理部３３では、トランザクションコントロール装置２０から送信された更新要求に従って、未登録のサーチ指紋の登録処理や当該候補指紋に対する置換処理、あるいは当該候補指紋の削除処理を指紋データベース３０−１に対して行なう（ステップ５１１）。
【００６３】
本発明による指紋照合システムの指紋処理端末１０、トランザクションコントロール装置２０及び指紋照合装置３０の各機能については、それをハードウェア的に実現することは勿論として、上記機能を達成する指紋照合プログラム（アプリケーションプログラム）を各装置を実現する情報処理装置上で実行することにり実現することができる。この指紋照合プログラムは、磁気ディスク、半導体メモリその他の記録媒体に格納され、その記録媒体から情報処理装置のメモリにロードされ、情報処理装置の動作を制御することにより、上述した各機能を実現する。
【００６４】
以上好ましい実施の形態及び実施例をあげて本発明を説明したが、本発明は必ずしも上記実施の形態及び実施例に限定されるものではなく、その技術的思想の範囲内において様々に変形して実施することができる。
【００６５】
【発明の効果】
以上説明したように本発明によれば、指紋処理端末からの指紋データの比較結果に従って適切な指紋データベースの更新を行なうことが可能となり、これにより照合精度の向上が図られる。照合処理装置から通信回線を介して送られる比較結果に基づいて、トランザクションコントロール装置から自動的に指紋データベースの更新要求が指紋照合装置に対してなされるため、誤りのない更新要求が可能となるからである。
【００６６】
また、指紋処理端末からの比較結果として、でサーチ指紋データと合致する候補指紋と共に第１候補指紋の情報も送信するようにしたため、候補指紋中にサーチ指紋と合致する複数の候補指紋がある場合、サーチ指紋と全ての合致した候補指紋を比べて、第１候補指紋の品質より良い指紋がサーチ指紋及びその他の合致候補指紋に存在する場合のみ当該品質のよい指紋を第１候補指紋と置換し、当該品質のよい指紋以外の候補指紋を削除し、また第１候補指紋の品質より良い指紋がサーチ指紋及びその他の合致候補指紋に存在しない場合は第１候補以外の候補指紋を削除するといった更新要求が可能となり、より適切な指紋データベースの更新が実現される。
【図面の簡単な説明】
【図１】本発明の実施の形態による指紋照合システムの構成を示すブロック図である。
【図２】本発明の実施の形態による指紋照合システムの指紋処理端末の構成を示すブロック図である。
【図３】本発明の実施の形態による指紋照合システムのトランザクションコントロール装置の構成を示すブロック図である。
【図４】本発明の実施の形態による指紋照合システムの指紋照合装置の構成を示すブロック図である。
【図５】本発明の実施の形態による指紋照合システムの動作を説明するフローチャートである。
【図６】本発明の実施の形態による指紋照合システムの指紋処理端末における情報入力画面の例を示す図である。
【図７】本発明の実施の形態による指紋照合システムの指紋処理端末における照合結果表示画面の例を示す図である。
【図８】従来の指紋照合システムの構成を示すブロック図である。
【符号の説明】
１０：指紋処理端末
１１：指紋入力部
１２：サーチ指紋データ作成部
１３：入力部
１４：送受信部
１５：照合結果表示処理部
２０：トランザクションコントロール装置
２１：特徴点抽出部
２２：サーチ指紋照合データ作成部
２３：送受信部
２４：データベース更新要求部
３０：指紋照合装置
３０−１：指紋データベース
３１：指紋照合部
３２：送受信部
３３：更新処理部
１００：ネットワーク
３００：情報入力画面
４００：照合結果表示画面
【図１】
2004318383.tif 000003
【図２】
2004318383.tif 000004
【図３】
2004318383.tif 000005
【図４】
2004318383.tif 000006
【図５】
2004318383.tif 000007
【図６】
2004318383.tif 000008
【図７】
2004318383.tif 000009
【図８】
2004318383.tif 000010